(57)【要約】【課題】吊り下げ灯アダプタを提供する。【解決手段】吊り下げ灯アダプタは、電源と吊り下げ灯とを連結するために用いられ、吊り下げ灯は、本体と、本体に連結される外付けコネクタとを備え、吊り下げ灯アダプタは、主体部を有する連結部材と、連結部材に連結される外プラグとを備え、外付けコネクタは、差込コネクタを有し、差込コネクタ上に設けられた接触片により、差込コネクタが主体部に合わせて装着される。吊り下げ灯を移動する場合にも、臨機応変に接続及び取り外しができ、実用性にも優れたものである。【選択図】図１
2019212495.tif 000002
【特許請求の範囲】
【請求項１】
電源と吊り下げ灯とを連結するために用いられる吊り下げ灯アダプタであって、
前記吊り下げ灯は、吊り下げ灯本体と、前記吊り下げ灯本体に連結される外付けコネクタとを備え、
前記吊り下げ灯アダプタは、主体部を有する連結部材と、前記連結部材に連結される外プラグとを備え、
前記主体部の外筐から離れる端面を装着面とし、前記装着面の両側にそれぞれ弧形の止着孔が設けられ、前記止着孔内に位置規制ブロックが突設され、
前記外付けコネクタは、差込コネクタを有し、前記差込コネクタに対向配置の２つの接触片が設けられ、
前記接触片は、連結部分と、前記連結部分の末端に横方向連結される位置係止部分とを含み、
前記差込コネクタを前記主体部に合わせて装着し、前記差込コネクタの前記位置係止部分が前記止着孔内まで延在し、位置係止ブロックが前記位置規制ブロックの後方に止着設されることを特徴する吊り下げ灯アダプタ。
【請求項２】
前記位置規制ブロックが前記止着孔の前記主体部の中間に近接する孔壁上に設置され、位置規制ブロックの一端が前記装着面と揃っていることを特徴する請求項１に記載の吊り下げ灯アダプタ。
【請求項３】
前記主体部上の２つの前記止着孔内の前記位置規制ブロック同士が前後方向に対して互いに逆方向に位置していることを特徴する請求項１に記載の吊り下げ灯アダプタ。
【請求項４】
前記主体部の内部に電気接続端子が設けられ、前記電気接続端子が導線を介して前記外プラグ上に連結されることを特徴する請求項１に記載の吊り下げ灯アダプタ。
【請求項５】
前記外筐は、前記主体部上の前記外プラグに近づく一端に覆設され、前記主体部上に前後貫通する若干の穿孔が設けられ、前記外筐の内側面に止着柱が設けられ、前記吊り下げ灯アダプタは、さらに固定部材を備え、前記固定部材が前記穿孔を通過して前記止着柱に固定されることに従って、前記主体部を前記止着柱上に固定することを特徴する請求項１に記載の吊り下げ灯アダプタ。
【請求項６】
前記連結部材は、さらに前記外筐を有し、前記外付けコネクタは、さらに第１外カバーを有し、前記第１外カバーと前記外筐とが相互に合わせて装着されることを特徴する請求項１に記載の吊り下げ灯アダプタ。
【請求項７】
前記第１外カバーの内側面に環状配列の若干の止着条が設けられ、前記外筐上の外側面に若干の取り付け溝が設けられ、前記止着条と当該取り付け溝とが相互に合わせて装着されることを特徴する請求項６に記載の吊り下げ灯アダプタ。
【請求項８】
前記止着条は、水平部分と、前記水平部分の一端に連結される位置止め部分とを含み、前記取り付け溝は、導入部分と、位置規制部分とを含み、前記導入部分が前記位置規制部分と相互に連通し、前記導入部分が前記外筐の辺縁部位から頂部方向に向けて延設され、前記位置規制部分が水平方向に延設され、前記第１外カバーと前記外筐を相互に取り付けるとき、前記第１外カバーの前記止着条が前記取り付け溝の前記導入部分まで延在してから、前記第１外カバーを前記外筐に対して回転させることで、前記第１外カバーの前記位置係止部分を前記位置規制部分の後方に係入することから、前記外筐と前記第１外カバーを相互に組み付けて固定させることを特徴する請求項７に記載の吊り下げ灯アダプタ。
【請求項９】
内部が中空で椀状に形成される前記第１外カバーの開口と、前記吊り下げ灯本体とが互いに逆方向になり、前記第１外カバーを最外側端に移すとき、前記第１外カバーが前記差込コネクタの外側に覆設されることを特徴する請求項７に記載の吊り下げ灯アダプタ。
【発明の詳細な説明】
【技術分野】
【０００１】
本発明は、照明装置に関するものであり、さらに詳しくは、照明装置の要素として構成される吊り下げ灯アダプタに関するものである。
【背景技術】
【０００２】
吊り下げ灯アダプタ付き灯具は、照明装置として、市場で販売されている標準的な適用プラグを有するが、灯具製品が固定式から移動式に変更する必要がある場合、例えば、通常では、壁埋め込み式コンセントの場合には、一般の状況において、回路とプラグとを作り直さなければ使用できず、構造全体が臨機応変性に欠けるので、かかる灯具の使用者に対しては使用過程における不便さを与えてしまうという問題があった。
【発明の概要】
【発明が解決しようとする課題】
【０００３】
従って、本発明の課題は、吊り下げ灯の移動と装着を任意に行うことが可能な吊り下げ灯アダプタを提供することにある。
【課題を解決するための手段】
【０００４】
そこで、本発明者は、本発明の前記課題を解決するため鋭意検討を重ねた結果、後述のように、電源と吊り下げ灯とを連結するために用いられるアダプタであって、当該アダプタが主体部を有する連結部材と、当該連結部材に連結された外プラグとからなる構成により、本発明の前記課題が解決可能となることに着目し、かかる知見に基いて、本発明に想到するに至った。
すなわち、本発明に係る吊り下げ灯アダプタは、電源と吊り下げ灯とを連結するために用いられるものであり、かかる吊り下げ灯は、吊り下げ灯本体と、吊り下げ灯本体に連結される外付けコネクタとを備え、前記吊り下げ灯アダプタは、主体部を有する連結部材と、連結部材に連結される外プラグとを備え、主体部の外筐から離れる端面を装着面とし、装着面の両側に弧形の止着孔が設けられ、止着孔内に位置規制ブロックが突設され、外付けコネクタは、差込コネクタを有し、差込コネクタに対向配置の２つの接触片が設けられ、接触片は、連結部分と、連結部分の末端に横方向連結される位置係止部分とを含み、差込コネクタを主体部に合わせて装着し、差込コネクタ上の位置係止部分が止着孔内まで延在し、位置係止ブロックが位置規制ブロックの後方に止着設されるように構成されたものである。
【０００５】
かくして、本発明の要旨は、次の（１）〜（９）に記載の通りのものである。
（１）電源と吊り下げ灯とを連結するために用いられる吊り下げ灯アダプタであって、
前記吊り下げ灯は、吊り下げ灯本体と、前記吊り下げ灯本体に連結される外付けコネクタとを備え、
前記吊り下げ灯アダプタは、主体部を有する連結部材と、前記連結部材に連結される外プラグとを備え、
前記主体部の外筐から離れる端面を装着面とし、前記装着面の両側にそれぞれ弧形の止着孔が設けられ、当該止着孔内に位置規制ブロックが突設され、
前記外付けコネクタは、差込コネクタを有し、前記差込コネクタに対向配置の２つの接触片が設けられ、
当該接触片は、連結部分と、前記連結部分の末端に横方向連結される位置係止部分とを含み、
前記差込コネクタを前記主体部に合わせて装着し、前記差込コネクタ上の前記位置係止部分が当該止着孔内まで延在し、位置係止ブロックが当該位置規制ブロックの後方に止着設されることを特徴する、吊り下げ灯アダプタ。
【０００６】
（２）当該位置規制ブロックが当該止着孔の前記主体部の中間に近接する孔壁上に設置され、当該位置規制ブロックの一端が前記装着面と揃っていることを特徴する前記（１）に記載の吊り下げ灯アダプタ。
【０００７】
（３）前記主体部上の２つの当該止着孔内の当該位置規制ブロック同士が前後方向に対して互いに逆方向に位置していることを特徴する前記（１）に記載の吊り下げ灯アダプタ。
【０００８】
（４）前記主体部の内部に電気接続端子が設けられ、前記電気接続端子が導線を介して前記外プラグ上に連結されることを特徴する前記（１）に記載の吊り下げ灯アダプタ。
【０００９】
（５）前記外筐は、前記主体部上の前記外プラグに近づく一端に覆設され、前記主体部上に前後貫通する若干の穿孔が設けられ、前記外筐の内側面に止着柱が設けられ、前記吊り下げ灯アダプタは、さらに固定部材を備え、前記固定部材が前記穿孔を通過して前記止着柱に固定されることに従って、前記主体部を前記止着柱上に固定することを特徴する前記（１）に記載の吊り下げ灯アダプタ。
【００１０】
（６）前記連結部材は、さらに前記外筐を有し、前記外付けコネクタは、さらに第１外カバーを有し、前記第１外カバーと前記外筐とが相互に合わせて装着されることを特徴する前記（１）に記載の吊り下げ灯アダプタ。
【００１１】
（７）前記第１外カバーの内側面に環状配列の若干の止着条が設けられ、前記外筐上の外側面に若干の取り付け溝が設けられ、当該止着条と当該取り付け溝とが相互に合わせて装着されることを特徴する前記（６）に記載の吊り下げ灯アダプタ。
【００１２】
（８）当該止着条は、水平部分と、前記水平部分の一端に連結される位置止め部分とを含み、当該取り付け溝は、導入部分と、位置規制部分とを含み、前記導入部分が前記位置規制部分と相互に連通し、前記導入部分が前記外筐の辺縁部位から頂部方向に向けて延設され、前記位置規制部分が水平方向に延設され、前記第１外カバーと前記外筐を相互に取り付けるとき、前記第１外カバーの当該止着条が当該取り付け溝の前記導入部分まで延在してから、前記第１外カバーを前記外筐に対して回転させることで、前記第１外カバーの前記位置係止部分を前記位置規制部分の後方に係入することから、前記外筐と前記第１外カバーを相互に組み付けて固定させることを特徴する前記（７）に記載の吊り下げ灯アダプタ。
【００１３】
（９）内部が中空で椀状に形成される前記第１外カバーの開口と、前記吊り下げ灯本体とが互いに逆方向になり、前記第１外カバーを最外側端に移すとき、前記第１外カバーが前記差込コネクタの外側に覆設されることを特徴する前記（７）に記載の吊り下げ灯アダプタ。
【発明の効果】
【００１４】
本発明に係る吊り下げ灯アダプタは、外付けコネクタ上に第１外カバーと、差込コネクタとが設けられ、第１外カバーに止着条が設けられ、差込コネクタ上に接触片が設けられ、連結部材は、外筐と、主体部とを有し、外筐に取り付け溝が設けられ、主体部上に位置規制ブロックが設けられる構成によれば、取り付け時には、第１外カバーに設けられる止着条を外筐上の取り付け溝に合わせて装着し、差込コネクタ上の接触片と、主体部上の位置規制ブロックとが相互に位置規制されることから、外付けコネクタと、連結部材とが着脱可能に連結装着されることを実現し、吊り下げ灯を移動する場合には、電気回路を再び作り直したり、あるいは連結部材を変更したりする必要がなく、臨機応変性に優れたものとなる。従って、かかる吊り下げ灯アダプタは、実用性に強く、普及化により大きい意義を有するものであり、著しく顕著な効果を奏する。
【図面の簡単な説明】
【００１５】
【図１】本発明の一実施形態に係る吊り下げ灯アダプタと吊り下げ灯との組付け状態を示す斜視図である。
【図２】図１の吊り下げ灯アダプタを吊り下げ灯から取り外した状態を示す斜視図である。
【図３】図２の吊り下げ灯アダプタを吊り下げ灯から取り外した状態の分解図である。
【図４】図３の吊り下げ灯アダプタを吊り下げ灯から取り外した状態を別の角度から観察した分解図である。
【発明を実施するための形態】
【００１６】
以下、本発明を図面により具体的に説明する。もっとも、本発明は、かかる図面により限定されるものではない。
図１〜図４に示すように、本発明に係る吊り下げ灯アダプタは、電源と吊り下げ灯とを連結するために用いられる。吊り下げ灯は、照明のために通路、廊下、居間、寝室やベランダに装設される。かかる吊り下げ灯は、吊り下げ灯本体１０と、吊り下げ灯本体１０に連結される外付けコネクタ３０とを備える。吊り下げ灯アダプタは、外付けコネクタ３０に着脱可能に連結され、吊り下げ灯アダプタは、連結部材６０と、連結部材６０に連結される外プラグ２０とを備える。
【００１７】
外付けコネクタ３０は、第１外カバー４０と、差込コネクタ５０とを有し、差込コネクタ５０が導線を介して吊り下げ灯本体１０上に連結され、導線が第１外カバー４０を通過し、第１外カバー４０が椀状に形成され、第１外カバー４０の内部が中空であり、第１外カバー４０の開口と、吊り下げ灯本体１０とが互いに逆方向になり、第１外カバー４０を最外側端に移すとき、第１外カバー４０が差込コネクタ５０の外側に覆設される。
【００１８】
第１外カバー４０の内側面に環状配列の若干の止着条４１が設けられ、各止着条４１は、水平部分４２と、水平部分４２の一端に連結される位置止め部分４３とを含む。差込コネクタ５０上に対向配置の２つの接触片５１が設けられ、接触片５１は、連結部分５２と、連結部分５２の末端に横方向に連結される位置係止部分５３とを含む。
【００１９】
連結部材６０は、外筐７０と、主体部８０とを有し、主体部８０の内部に電気接続端子が設けられ、電気接続端子が導線を介して外プラグ２０上に連結され、外筐７０は、主体部８０上の外プラグ２０に近づく一端に覆設され、主体部８０上に前後貫通する若干の穿孔８１が設けられ、外筐７０の内側面に止着柱７４が設けられる。本発明によれば、さらに固定部材を備え、固定部材が穿孔８１を通過して止着柱７４に固定されることに従って、主体部８０を止着柱７４上に固定する。
【００２０】
外筐７０上の外側面に若干の取り付け溝７１が設けられ、取り付け溝７１は、導入部分７２と、位置規制部分７３とを含み、導入部分７２が位置規制部分７３と相互に連通し、導入部分７２が外筐７０の辺縁部位から頂部方向に向けて延設され、位置規制部分７３が水平方向に延設される。主体部８０の外筐７０から離れる端面を装着面とし、装着面の両側にそれぞれ弧形の止着孔８２が設けられ、止着孔８２の主体部８０の中間に近接する孔壁上に位置規制ブロック８３が突設され、位置規制ブロック８３の一端が装着面と揃っており、２つの止着孔８２内の位置規制ブロック８３同士が前後方向に対して互いに逆方向に位置している。
【００２１】
装着時には、差込コネクタ５０を主体部８０に合わせて装着し、差込コネクタ５０上の位置係止部分５３が止着孔８２内まで延在し、位置係止部分５３と、位置規制ブロック８３とが相互に位置をずらし、差込コネクタ５０を主体部８０に対して回転させることで、位置係止ブロックが位置規制ブロック８３の後方に止着設され、かつ位置係止ブロックが主体部８０の内部の電気接続端子と相接触し、最後に、第１外カバー４０と外筐７０を相互に取り付け、第１外カバー４０の止着条４１が取り付け溝７１の導入部分７２まで延在してから、第１外カバー４０を外筐７０に対して回転させることで、第１外カバー４０の位置係止部分５３を位置規制部分７３の後方に係入することから、外筐７０と第１外カバー４０を相互に組み付けて固定させる。
【産業上の利用可能性】
【００２２】
本発明は、外付けコネクタ３０上に第１外カバー４０と、差込コネクタ５０とが設けられ、第１外カバー４０に止着条４１が設けられ、差込コネクタ５０上に接触片５１が設けられ、連結部材６０は、外筐７０と、主体部８０とを有し、外筐７０に取り付け溝７１が設けられ、主体部８０上に位置規制ブロック８３が設けられる構成によれば、取り付け時には、第１外カバー４０に設けられる止着条４１を外筐７０上の取り付け溝７１に合わせて装着し、差込コネクタ５０上の接触片５１と、主体部８０上の位置規制ブロック８３とが相互に位置規制されることから、外付けコネクタ３０と、連結部材６０とが着脱可能に連結装着されることを実現し、吊り下げ灯を移動する場合には、電気回路を再び作り直したり、あるいは連結部材６０を変更したりする必要がなく、臨機応変性に優れ、実用性に強く、普及化により大きい意義を有するものである。
かかる観点から本発明の産業上の利用可能性は極めて大きい。
【符号の説明】
【００２３】
１０：吊り下げ灯本体
２０：外プラグ
３０：外付けコネクタ
４０：第１外カバー
４１：止着条
４２：水平部分
４３：位置止め部分
５０：差込コネクタ
５１：接触片
５２：連結部分
５３：位置係止部分
６０：連結部材
７０：外筐
７１：取り付け溝
７２：導入部分
７３：位置規制部分
７４：止着柱
８０：主体部
８１：穿孔
８２：止着孔
８３：位置規制ブロック
【図１】
2019212495.tif 000003
【図２】
2019212495.tif 000004
【図３】
2019212495.tif 000005
【図４】
2019212495.tif 000006
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
電源と吊り下げ灯とを連結するために用いられる吊り下げ灯アダプタであって、
前記吊り下げ灯は、吊り下げ灯本体と、前記吊り下げ灯本体に連結される外付けコネクタとを備え、
前記吊り下げ灯アダプタは、主体部を有する連結部材と、前記連結部材に連結される外プラグとを備え、
前記主体部の外筐から離れる端面を装着面とし、前記装着面の両側にそれぞれ弧形の止着孔が設けられ、前記止着孔内に位置規制ブロックが突設され、
前記外付けコネクタは、差込コネクタを有し、前記差込コネクタに対向配置の２つの接触片が設けられ、
前記接触片は、連結部分と、前記連結部分の末端に横方向連結される位置係止部分とを含み、
前記差込コネクタを前記主体部に合わせて装着し、前記差込コネクタの前記位置係止部分が前記止着孔内まで延在し、位置係止部分が前記位置規制ブロックの後方に止着されることにより設置され、
前記位置規制ブロックが前記止着孔の前記主体部の中間に近接する孔壁上に設置され、位置規制ブロックの一端が前記装着面と揃っていることを特徴とする吊り下げ灯アダプタ。
【請求項２】
前記主体部上の２つの前記止着孔内の前記位置規制ブロック同士が前後方向に対して互いに逆方向に位置していることを特徴する請求項１に記載の吊り下げ灯アダプタ。
【請求項３】
前記主体部の内部に電気接続端子が設けられ、前記電気接続端子が導線を介して前記外プラグ上に連結されることを特徴する請求項１に記載の吊り下げ灯アダプタ。
【請求項４】
前記外筐は、前記主体部上の前記外プラグに近づく一端に覆設され、前記主体部上に前後貫通する若干の穿孔が設けられ、前記外筐の内側面に止着柱が設けられ、前記吊り下げ灯アダプタは、さらに固定部材を備え、前記固定部材が前記穿孔を通過して前記止着柱に固定されることに従って、前記主体部を前記止着柱上に固定することを特徴する請求項１に記載の吊り下げ灯アダプタ。
【請求項５】
前記連結部材は、さらに前記外筐を有し、前記外付けコネクタは、さらに第１外カバーを有し、前記第１外カバーと前記外筐とが相互に合わせて装着されることを特徴する請求項１に記載の吊り下げ灯アダプタ。
【請求項６】
前記第１外カバーの内側面に環状配列の若干の止着条が設けられ、前記外筐上の外側面に若干の取り付け溝が設けられ、前記止着条と当該取り付け溝とが相互に合わせて装着されることを特徴する請求項５に記載の吊り下げ灯アダプタ。
【請求項７】
前記止着条は、水平部分と、前記水平部分の一端に連結される位置止め部分とを含み、前記取り付け溝は、導入部分と、位置規制部分とを含み、前記導入部分が前記位置規制部分と相互に連通し、前記導入部分が前記外筐の辺縁部位から頂部方向に向けて延設され、前記位置規制部分が水平方向に延設され、前記第１外カバーと前記外筐を相互に取り付けるとき、前記第１外カバーの前記止着条が前記取り付け溝の前記導入部分まで延在してから、前記第１外カバーを前記外筐に対して回転させることで、前記第１外カバーの前記位置止め部分を前記位置規制部分の後方に係入することから、前記外筐と前記第１外カバーを相互に組み付けて固定させることを特徴する請求項６に記載の吊り下げ灯アダプタ。
【請求項８】
内部が中空で椀状に形成される前記第１外カバーの開口と、前記吊り下げ灯本体とが互いに逆方向になり、前記第１外カバーを最外側端に移すとき、前記第１外カバーが前記差込コネクタの外側に覆設されることを特徴する請求項６に記載の吊り下げ灯アダプタ。
【手続補正２】
【補正対象書類名】明細書
【補正対象項目名】全文
【補正方法】変更
【補正の内容】
【発明の詳細な説明】
【技術分野】
【０００１】
本発明は、照明装置に関するものであり、さらに詳しくは、照明装置の要素として構成される吊り下げ灯アダプタに関するものである。
【背景技術】
【０００２】
吊り下げ灯アダプタ付き灯具は、照明装置として、市場で販売されている標準的な適用プラグを有するが、灯具製品が固定式から移動式に変更する必要がある場合、例えば、通常では、壁埋め込み式コンセントの場合には、一般の状況において、回路とプラグとを作り直さなければ使用できず、構造全体が臨機応変性に欠けるので、かかる灯具の使用者に対しては使用過程における不便さを与えてしまうという問題があった。
【発明の概要】
【発明が解決しようとする課題】
【０００３】
従って、本発明の課題は、吊り下げ灯の移動と装着を任意に行うことが可能な吊り下げ灯アダプタを提供することにある。
【課題を解決するための手段】
【０００４】
そこで、本発明者は、本発明の前記課題を解決するため鋭意検討を重ねた結果、後述のように、電源と吊り下げ灯とを連結するために用いられるアダプタであって、当該アダプタが主体部を有する連結部材と、当該連結部材に連結された外プラグとからなる構成により、本発明の前記課題が解決可能となることに着目し、かかる知見に基いて、本発明に想到するに至った。
すなわち、本発明に係る吊り下げ灯アダプタは、電源と吊り下げ灯とを連結するために用いられるものであり、かかる吊り下げ灯は、吊り下げ灯本体と、吊り下げ灯本体に連結される外付けコネクタとを備え、前記吊り下げ灯アダプタは、主体部を有する連結部材と、連結部材に連結される外プラグとを備え、主体部の外筐から離れる端面を装着面とし、装着面の両側に弧形の止着孔が設けられ、止着孔内に位置規制ブロックが突設され、外付けコネクタは、差込コネクタを有し、差込コネクタに対向配置の２つの接触片が設けられ、接触片は、連結部分と、連結部分の末端に横方向連結される位置係止部分とを含み、差込コネクタを主体部に合わせて装着し、差込コネクタ上の位置係止部分が止着孔内まで延在し、位置係止部分が位置規制ブロックの後方に止着されることにより設置されるように構成されたものである。
【０００５】
かくして、本発明の要旨は、次の（１）〜（９）に記載の通りのものである。
（１）電源と吊り下げ灯とを連結するために用いられる吊り下げ灯アダプタであって、
前記吊り下げ灯は、吊り下げ灯本体と、前記吊り下げ灯本体に連結される外付けコネクタとを備え、
前記吊り下げ灯アダプタは、主体部を有する連結部材と、前記連結部材に連結される外プラグとを備え、
前記主体部の外筐から離れる端面を装着面とし、前記装着面の両側にそれぞれ弧形の止着孔が設けられ、当該止着孔内に位置規制ブロックが突設され、
前記外付けコネクタは、差込コネクタを有し、前記差込コネクタに対向配置の２つの接触片が設けられ、
当該接触片は、連結部分と、前記連結部分の末端に横方向連結される位置係止部分とを含み、
前記差込コネクタを前記主体部に合わせて装着し、前記差込コネクタ上の前記位置係止部分が当該止着孔内まで延在し、位置係止部分が当該位置規制ブロックの後方に止着されることにより設置されることを特徴する吊り下げ灯アダプタ。
【０００６】
（２）当該位置規制ブロックが当該止着孔の前記主体部の中間に近接する孔壁上に設置され、当該位置規制ブロックの一端が前記装着面と揃っていることを特徴する前記（１）に記載の吊り下げ灯アダプタ。
【０００７】
（３）前記主体部上の２つの当該止着孔内の当該位置規制ブロック同士が前後方向に対して互いに逆方向に位置していることを特徴する前記（１）に記載の吊り下げ灯アダプタ。
【０００８】
（４）前記主体部の内部に電気接続端子が設けられ、前記電気接続端子が導線を介して前記外プラグ上に連結されることを特徴する前記（１）に記載の吊り下げ灯アダプタ。
【０００９】
（５）前記外筐は、前記主体部上の前記外プラグに近づく一端に覆設され、前記主体部上に前後貫通する若干の穿孔が設けられ、前記外筐の内側面に止着柱が設けられ、前記吊り下げ灯アダプタは、さらに固定部材を備え、前記固定部材が前記穿孔を通過して前記止着柱に固定されることに従って、前記主体部を前記止着柱上に固定することを特徴する前記（１）に記載の吊り下げ灯アダプタ。
【００１０】
（６）前記連結部材は、さらに前記外筐を有し、前記外付けコネクタは、さらに第１外カバーを有し、前記第１外カバーと前記外筐とが相互に合わせて装着されることを特徴する前記（１）に記載の吊り下げ灯アダプタ。
【００１１】
（７）前記第１外カバーの内側面に環状配列の若干の止着条が設けられ、前記外筐上の外側面に若干の取り付け溝が設けられ、当該止着条と当該取り付け溝とが相互に合わせて装着されることを特徴する前記（６）に記載の吊り下げ灯アダプタ。
【００１２】
（８）当該止着条は、水平部分と、前記水平部分の一端に連結される位置止め部分とを含み、当該取り付け溝は、導入部分と、位置規制部分とを含み、前記導入部分が前記位置規制部分と相互に連通し、前記導入部分が前記外筐の辺縁部位から頂部方向に向けて延設され、前記位置規制部分が水平方向に延設され、前記第１外カバーと前記外筐を相互に取り付けるとき、前記第１外カバーの当該止着条が当該取り付け溝の前記導入部分まで延在してから、前記第１外カバーを前記外筐に対して回転させることで、前記第１外カバーの前記位置止め部分を前記位置規制部分の後方に係入することから、前記外筐と前記第１外カバーを相互に組み付けて固定させることを特徴する前記（７）に記載の吊り下げ灯アダプタ。
【００１３】
（９）内部が中空で椀状に形成される前記第１外カバーの開口と、前記吊り下げ灯本体とが互いに逆方向になり、前記第１外カバーを最外側端に移すとき、前記第１外カバーが前記差込コネクタの外側に覆設されることを特徴する前記（７）に記載の吊り下げ灯アダプタ。
【発明の効果】
【００１４】
本発明に係る吊り下げ灯アダプタは、外付けコネクタ上に第１外カバーと、差込コネクタとが設けられ、第１外カバーに止着条が設けられ、差込コネクタ上に接触片が設けられ、連結部材は、外筐と、主体部とを有し、外筐に取り付け溝が設けられ、主体部上に位置規制ブロックが設けられる構成によれば、取り付け時には、第１外カバーに設けられる止着条を外筐上の取り付け溝に合わせて装着し、差込コネクタ上の接触片と、主体部上の位置規制ブロックとが相互に位置規制されることから、外付けコネクタと、連結部材とが着脱可能に連結装着されることを実現し、吊り下げ灯を移動する場合には、電気回路を再び作り直したり、あるいは連結部材を変更したりする必要がなく、臨機応変性に優れたものとなる。従って、かかる吊り下げ灯アダプタは、実用性に強く、普及化により大きい意義を有するものであり、著しく顕著な効果を奏する。
【図面の簡単な説明】
【００１５】
【図１】本発明の一実施形態に係る吊り下げ灯アダプタと吊り下げ灯との組付け状態を示す斜視図である。
【図２】図１の吊り下げ灯アダプタを吊り下げ灯から取り外した状態を示す斜視図である。
【図３】図２の吊り下げ灯アダプタを吊り下げ灯から取り外した状態の分解図である。
【図４】図３の吊り下げ灯アダプタを吊り下げ灯から取り外した状態を別の角度から観察した分解図である。
【発明を実施するための形態】
【００１６】
以下、本発明を図面により具体的に説明する。もっとも、本発明は、かかる図面により限定されるものではない。
図１〜図４に示すように、本発明に係る吊り下げ灯アダプタは、電源と吊り下げ灯とを連結するために用いられる。吊り下げ灯は、照明のために通路、廊下、居間、寝室やベランダに装設される。かかる吊り下げ灯は、吊り下げ灯本体１０と、吊り下げ灯本体１０に連結される外付けコネクタ３０とを備える。吊り下げ灯アダプタは、外付けコネクタ３０に着脱可能に連結され、吊り下げ灯アダプタは、連結部材６０と、連結部材６０に連結される外プラグ２０とを備える。
【００１７】
外付けコネクタ３０は、第１外カバー４０と、差込コネクタ５０とを有し、差込コネクタ５０が導線を介して吊り下げ灯本体１０上に連結され、導線が第１外カバー４０を通過し、第１外カバー４０が椀状に形成され、第１外カバー４０の内部が中空であり、第１外カバー４０の開口と、吊り下げ灯本体１０とが互いに逆方向になり、第１外カバー４０を最外側端に移すとき、第１外カバー４０が差込コネクタ５０の外側に覆設される。
【００１８】
第１外カバー４０の内側面に環状配列の若干の止着条４１が設けられ、各止着条４１は、水平部分４２と、水平部分４２の一端に連結される位置止め部分４３とを含む。差込コネクタ５０上に対向配置の２つの接触片５１が設けられ、接触片５１は、連結部分５２と、連結部分５２の末端に横方向に連結される位置係止部分５３とを含む。
【００１９】
連結部材６０は、外筐７０と、主体部８０とを有し、主体部８０の内部に電気接続端子が設けられ、電気接続端子が導線を介して外プラグ２０上に連結され、外筐７０は、主体部８０上の外プラグ２０に近づく一端に覆設され、主体部８０上に前後貫通する若干の穿孔８１が設けられ、外筐７０の内側面に止着柱７４が設けられる。本発明によれば、さらに固定部材を備え、固定部材が穿孔８１を通過して止着柱７４に固定されることに従って、主体部８０を止着柱７４上に固定する。
【００２０】
外筐７０上の外側面に若干の取り付け溝７１が設けられ、取り付け溝７１は、導入部分７２と、位置規制部分７３とを含み、導入部分７２が位置規制部分７３と相互に連通し、導入部分７２が外筐７０の辺縁部位から頂部方向に向けて延設され、位置規制部分７３が水平方向に延設される。主体部８０の外筐７０から離れる端面を装着面とし、装着面の両側にそれぞれ弧形の止着孔８２が設けられ、止着孔８２の主体部８０の中間に近接する孔壁上に位置規制ブロック８３が突設され、位置規制ブロック８３の一端が装着面と揃っており、２つの止着孔８２内の位置規制ブロック８３同士が前後方向に対して互いに逆方向に位置している。
【００２１】
装着時には、差込コネクタ５０を主体部８０に合わせて装着し、差込コネクタ５０上の位置係止部分５３が止着孔８２内まで延在し、位置係止部分５３と、位置規制ブロック８３とが相互に位置をずらし、差込コネクタ５０を主体部８０に対して回転させることで、位置係止部分５３が位置規制ブロック８３の後方に止着されることにより設置され、かつ位置係止部分が主体部８０の内部の電気接続端子と相接触し、最後に、第１外カバー４０と外筐７０を相互に取り付け、第１外カバー４０の止着条４１が取り付け溝７１の導入部分７２まで延在してから、第１外カバー４０を外筐７０に対して回転させることで、第１外カバー４０の位置係止部分５３を位置規制部分７３の後方に係入することから、外筐７０と第１外カバー４０を相互に組み付けて固定させる。
【産業上の利用可能性】
【００２２】
本発明は、外付けコネクタ３０上に第１外カバー４０と、差込コネクタ５０とが設けられ、第１外カバー４０に止着条４１が設けられ、差込コネクタ５０上に接触片５１が設けられ、連結部材６０は、外筐７０と、主体部８０とを有し、外筐７０に取り付け溝７１が設けられ、主体部８０上に位置規制ブロック８３が設けられる構成によれば、取り付け時には、第１外カバー４０に設けられる止着条４１を外筐７０上の取り付け溝７１に合わせて装着し、差込コネクタ５０上の接触片５１と、主体部８０上の位置規制ブロック８３とが相互に位置規制されることから、外付けコネクタ３０と、連結部材６０とが着脱可能に連結装着されることを実現し、吊り下げ灯を移動する場合には、電気回路を再び作り直したり、あるいは連結部材６０を変更したりする必要がなく、臨機応変性に優れ、実用性に強く、普及化により大きい意義を有するものである。
かかる観点から本発明の産業上の利用可能性は極めて大きい。
【符号の説明】
【００２３】
１０：吊り下げ灯本体
２０：外プラグ
３０：外付けコネクタ
４０：第１外カバー
４１：止着条
４２：水平部分
４３：位置止め部分
５０：差込コネクタ
５１：接触片
５２：連結部分
５３：位置係止部分
６０：連結部材
７０：外筐
７１：取り付け溝
７２：導入部分
７３：位置規制部分
７４：止着柱
８０：主体部
８１：穿孔
８２：止着孔
８３：位置規制ブロック